(57)【要約】【課題】ランキンサイクルの起動時における-出力上昇を簡易にして迅速化するとともに、被動力伝達装置をエンジンとしたときにランキンサイクルを適切に制御することができる廃熱利用装置を提供する。【解決手段】ランキンサイクル(4)は、蒸発器(6)の出口と膨張機(8)の入口との間の循環路(5a)に介挿される膨張機入口弁(20)と、ポンプ(12)の出口と蒸発器(6)の入口との間の循環路(5b)に介挿されて蒸発器(6)からポンプ(12)への作動流体の逆流を禁止する逆止弁(22)とを有し、膨張機(8)の停止時に膨張機入口弁(20)を閉弁し、膨張機(8)の起動時に膨張機入口弁(20)を開弁する制御手段(18)を具備する。【選択図】図６
2010065587.tif 000002
【特許請求の範囲】
【請求項１】
作動流体の循環路に、熱源の廃熱により作動流体を加熱して蒸発させる蒸発器、該蒸発器を経由した作動流体を膨張させて回転駆動力を発生する膨張機、該膨張機にて発生した回転駆動力が伝達される被動力伝達装置、該膨張機を経由した作動流体を凝縮させる凝縮器、該凝縮器を経由した作動流体を前記蒸発器に送出するポンプが順次介挿されたランキンサイクルを備え、
前記ランキンサイクルは、前記蒸発器の出口と前記膨張機の入口との間の前記循環路に介挿される膨張機入口弁と、前記ポンプの出口と前記蒸発器の入口との間の前記循環路に介挿されて前記蒸発器から前記ポンプへの作動流体の逆流を禁止する逆止弁とを有し、
前記膨張機の停止時に前記膨張機入口弁を閉弁し、前記膨張機の起動時に前記膨張機入口弁を開弁する制御手段を具備することを特徴とする廃熱利用装置。
【請求項２】
前記ランキンサイクルは、前記蒸発器の出口と前記膨張機入口弁の入口との間の前記循環路における作動流体の圧力を検出する圧力検出手段を有し、
前記制御手段は、前記膨張機の起動時に、前記圧力検出手段にて検出された圧力が所定の設定圧力以上になるとき前記膨張機入口弁を開弁することを特徴とする請求項１に記載の廃熱利用装置。
【請求項３】
前記膨張機の負荷を変更する負荷変更手段を備え、
前記制御手段は、前記膨張機の起動時に、前記負荷変更手段にて前記膨張機の負荷を所定の最小値に変更することを特徴とする請求項１または２に記載の廃熱利用装置。
【請求項４】
前記制御手段は、前記膨張機の起動後に、前記負荷変更手段にて前記膨張機の負荷を段階的に大きくすることを特徴とする請求項３に記載の廃熱利用装置。
【請求項５】
前記制御手段は、前記膨張機の起動時に、前記膨張機入口弁を段階的に開弁することを特徴とする請求項１乃至４の何れかに記載の廃熱利用装置。
【請求項６】
前記制御手段は、前記膨張機の停止時に、前記膨張機入口弁を閉弁してから所定の設定時間の経過後に前記ポンプの駆動を停止することを特徴とする請求項１乃至５の何れかに記載の廃熱利用装置。
【請求項７】
前記ランキンサイクルは、前記蒸発器の出口と前記膨張機入口弁の入口との間の前記循環路における作動流体の圧力を検出する圧力検出手段を有し、
前記制御手段は、前記膨張機の停止時に、前記膨張機入口弁を閉弁してから前記圧力検出手段にて検出された圧力が所定の設定圧力以上になった後に前記ポンプの駆動を停止することを特徴とする請求項６に記載の廃熱利用装置。
【請求項８】
前記膨張機と前記被動力伝達装置と前記ポンプとは同一の回転軸を介して連結されて一体に回転可能に構成されることを特徴とする請求項１乃至５の何れかに記載の廃熱利用装置。
【請求項９】
前記被動力伝達装置はモータ機能を有しない発電機であることを特徴とする請求項８に記載の廃熱利用装置。
【請求項１０】
前記ランキンサイクルは、前記凝縮器を経由した作動流体を気液分離して前記ポンプに液状の作動流体を送出する気液分離器を有し、
前記気液分離器を前記蒸発器よりも上方に設けることを特徴とする請求項９に記載の廃熱利用装置。
【請求項１１】
前記ランキンサイクルは、前記蒸発器の出口と前記膨張機入口弁の入口との間の前記循環路における作動流体の圧力を検出する圧力検出手段と、前記ポンプをバイパスするポンプバイパス路と、該ポンプバイパス路に介挿されたポンプバイパス弁と、前記膨張機をバイパスする膨張機バイパス路と、該膨張機バイパス路に介挿された膨張機バイパス弁と、前記膨張機の起動時に前記膨張機が正常に起動したか否かを判定する起動判定手段とを備え、
前記制御手段は、前記起動判定手段にて前記膨張機が正常に起動していないと判定されたとき、前記ポンプバイパス弁及び前記膨張機バイパス弁を開弁することにより前記ポンプバイパス路を介して前記蒸発器に作動流体を流入させ、その後に前記ポンプバイパス弁及び前記膨張機バイパス弁と前記膨張機入口弁とを閉弁し、その後に前記圧力検出手段にて検出された圧力が所定圧力以上になるとき前記膨張機入口弁を開弁することを特徴とする請求項１０に記載の廃熱利用装置。
【請求項１２】
前記被動力伝達装置はクラッチを介して前記膨張機の回転駆動力が伝達されるエンジンであって、
前記制御手段は、前記エンジンの制動時に前記膨張機入口弁を閉弁し、前記エンジンの駆動時に前記膨張機入口弁を開弁することを特徴とする請求項１乃至７の何れかに記載の廃熱利用装置。
【請求項１３】
前記制御手段は、前記エンジンの制動時に前記膨張機入口弁を閉弁した後に前記クラッチを切って前記膨張機から前記エンジンへの動力伝達を遮断することを特徴とする請求項１２に記載の廃熱利用装置。
【請求項１４】
前記クラッチは、前記膨張機の回転数が前記エンジンの回転数以上のときにのみ前記膨張機の動力を前記エンジンに伝達するワンウェイクラッチであることを特徴とする請求項１２に記載の廃熱利用装置。
【請求項１５】
前記制御手段は、前記エンジンの制動後の駆動時には前記膨張機入口弁を段階的に開弁することを特徴とする請求項１３または１４に記載の廃熱利用装置。
【請求項１６】
前記ランキンサイクルは、前記蒸発器の出口と前記膨張機入口弁の入口との間の前記循環路における作動流体の圧力を検出する圧力検出手段を有し、
前記制御手段は、前記圧力検出手段にて検出された圧力に基づいて、前記膨張機入口弁の開弁に伴い前記膨張機から前記クラッチを介して前記エンジンに伝達される動力伝達量を推定し、前記エンジンの駆動時に該推定された動力伝達量に相当する前記エンジンの駆動力を予め低減することを特徴とする請求項１５に記載の廃熱利用装置。
【発明の詳細な説明】
【技術分野】
【０００１】
本発明は、廃熱利用装置に係り、詳しくは、車両のエンジンの廃熱を回収して利用するのに好適な廃熱利用装置に関する。
【背景技術】
【０００２】
この種の廃熱利用装置は、作動流体としての冷媒の循環路に、熱源の廃熱により作動流体を加熱して蒸発させる蒸発器、該蒸発器を経由した作動流体を膨張させて回転駆動力を発生する膨張機、該膨張機にて発生した回転駆動力が伝達される被動力伝達装置、該膨張機を経由した作動流体を凝縮させる凝縮器、該凝縮器を経由した作動流体を前記蒸発器に送出するポンプが順次介挿されたランキンサイクルを備えている。
【０００３】
そして、特許文献１には、ポンプと膨張機と被動力伝達装置としてのモータジェネレータとを同軸上に配し、ランキンサイクルの起動時にはモータジェネレータをモータとして機能させてポンプを回転させる一方、冷媒の循環によって膨張機が自発回転し始めたらモータジェネレータを発電機として機能させる流体機械が開示されている。
また、特許文献２には、膨張機の入口に電磁弁と圧力計とを設けた始動制御機構を有するランキンサイクル回路が開示されている。
【０００４】
更に、特許文献３には、ポンプ及び膨張機をバイパスさせて作動流体の流通を促す冷凍装置が開示されている。
更にまた、特許文献４には、凝縮器とポンプとの位置関係によらないでランキンサイクルを起動するランキンサイクル装置が開示されている。
【特許文献１】特開２００５−３０３８６号公報
【特許文献２】実公昭６１−３７７７１号公報
【特許文献３】特開２００７−２０５６９９号公報
【特許文献４】特開２００５−３３７０６３号公報
【発明の開示】
【発明が解決しようとする課題】
【０００５】
しかしながら、上記特許文献１では、モータジェネレータをモータまたは発電機として機能させるため、ランキンサイクルの回路が複雑になるとの問題がある。
また、熱源を車両等のエンジンとし、車両のアイドリングストップなどでエンジンが停止した場合、エンジンからランキンサイクル側への入熱量が少なくなるため、ランキンサイクルにおける蒸発器側（高圧側）と凝縮器側（低圧側）との圧力差が徐々に小さくなり、ひいては膨張機の駆動が停止し、更には上記圧力差がバランスする。その後にエンジンが再起動されると、エンジンからランキンサイクル側への入熱量が増えるため、高圧側の圧力が徐々に上昇するのに伴いランキンサイクルも起動されるが、蒸発器において冷媒蒸気が発生するまで時間を要するため、ランキンサイクルの起動時における出力上昇に時間が掛かるとの問題がある。
【０００６】
更に、上記各従来技術では、被動力伝達装置を車両等のエンジンとしたときのエンジンの制動、即ちエンジンブレーキを行う場合については格別な配慮がなされておらず、この場合のランキンサイクルの適切な制御については依然として課題が残されている。
本発明は、このような課題に鑑みてなされたもので、ランキンサイクルの起動時における出力上昇を簡易にして迅速化するとともに、被動力伝達装置をエンジンとしたときにランキンサイクルを適切に制御することができる廃熱利用装置を提供することを目的とする。
【課題を解決するための手段】
【０００７】
上記の目的を達成するべく、請求項１記載の廃熱利用装置は、作動流体の循環路に、熱源の廃熱により作動流体を加熱して蒸発させる蒸発器、該蒸発器を経由した作動流体を膨張させて回転駆動力を発生する膨張機、該膨張機にて発生した回転駆動力が伝達される被動力伝達装置、該膨張機を経由した作動流体を凝縮させる凝縮器、該凝縮器を経由した作動流体を蒸発器に送出するポンプが順次介挿されたランキンサイクルを備え、ランキンサイクルは、蒸発器の出口と膨張機の入口との間の循環路に介挿される膨張機入口弁と、ポンプの出口と蒸発器の入口との間の循環路に介挿されて蒸発器からポンプへの作動流体の逆流を禁止する逆止弁とを有し、膨張機の停止時に膨張機入口弁を閉弁し、膨張機の起動時に膨張機入口弁を開弁する制御手段を具備することを特徴としている。
【０００８】
また、請求項２記載の発明では、請求項１において、ランキンサイクルは、蒸発器の出口と膨張機入口弁の入口との間の循環路における作動流体の圧力を検出する圧力検出手段を有し、制御手段は、膨張機の起動時に、圧力検出手段にて検出された圧力が所定の設定圧力以上になるとき膨張機入口弁を開弁することを特徴としている。
更に、請求項３記載の発明では、請求項１または２において、膨張機の負荷を変更する負荷変更手段を備え、制御手段は、膨張機の起動時に、負荷変更手段にて膨張機の負荷を所定の最小値に変更することを特徴としている。
【０００９】
更にまた、請求項４記載の発明では、請求項３において、制御手段は、膨張機の起動後に、負荷変更手段にて膨張機の負荷を段階的に大きくすることを特徴としている。
また、請求項５記載の発明では、請求項１乃至４の何れかにおいて、制御手段は、膨張機の起動時に、膨張機入口弁を段階的に開弁することを特徴としている。
更に、請求項６記載の発明では、請求項１乃至５の何れかにおいて、制御手段は、膨張機の停止時に、膨張機入口弁を閉弁してから所定の設定時間の経過後にポンプの駆動を停止することを特徴としている。
【００１０】
更にまた、請求項７記載の発明では、請求項６において、ランキンサイクルは、蒸発器の出口と膨張機入口弁の入口との間の循環路における作動流体の圧力を検出する圧力検出手段を有し、制御手段は、膨張機の停止時に、膨張機入口弁を閉弁してから圧力検出手段にて検出された圧力が所定の設定圧力以上になった後にポンプの駆動を停止することを特徴としている。
【００１１】
また、請求項８記載の発明では、請求項１乃至５の何れかにおいて、膨張機と被動力伝達装置とポンプとは同一の回転軸を介して連結されて一体に回転可能に構成されることを特徴としている。
更に、請求項９記載の発明では、請求項８において、被動力伝達装置はモータ機能を有しない発電機であることを特徴としている。
【００１２】
更にまた、請求項１０記載の発明では、請求項９において、ランキンサイクルは、凝縮器を経由した作動流体を気液分離してポンプに液状の作動流体を送出する気液分離器を有し、気液分離器を蒸発器よりも上方に設けることを特徴としている。
また、請求項１１記載の発明では、請求項１０において、ランキンサイクルは、蒸発器の出口と膨張機入口弁の入口との間の循環路における作動流体の圧力を検出する圧力検出手段と、ポンプをバイパスするポンプバイパス路と、ポンプバイパス路に介挿されたポンプバイパス弁と、膨張機をバイパスする膨張機バイパス路と、膨張機バイパス路に介挿された膨張機バイパス弁と、膨張機の起動時に膨張機が正常に起動したか否かを判定する起動判定手段とを備え、制御手段は、起動判定手段にて膨張機が正常に起動していないと判定されたとき、ポンプバイパス弁及び膨張機バイパス弁を開弁することによりポンプバイパス路を介して蒸発器に作動流体を流入させ、その後にポンプバイパス弁及び膨張機バイパス弁と膨張機入口弁とを閉弁し、その後に圧力検出手段にて検出された圧力が所定圧力以上になるとき膨張機入口弁を開弁することを特徴としている。
【００１３】
更に、請求項１２記載の発明では、請求項１乃至７の何れかにおいて、被動力伝達装置はクラッチを介して膨張機の回転駆動力が伝達されるエンジンであって、制御手段は、エンジンの制動時に膨張機入口弁を閉弁し、エンジンの駆動時に膨張機入口弁を開弁することを特徴としている。
更にまた、請求項１３記載の発明では、請求項１２において、制御手段は、エンジンの制動時に膨張機入口弁を閉弁した後にクラッチを切って膨張機からエンジンへの動力伝達を遮断することを特徴としている。
【００１４】
また、請求項１４記載の発明では、請求項１２において、クラッチは、膨張機の回転数がエンジンの回転数以上のときにのみ膨張機の動力をエンジンに伝達するワンウェイクラッチであることを特徴としている。
更に、請求項１５記載の発明では、請求項１３または１４において、制御手段は、エンジンの制動後の駆動時には膨張機入口弁を段階的に開弁することを特徴としている。
【００１５】
更にまた、請求項１６記載の発明では、請求項１５において、ランキンサイクルは、蒸発器の出口と膨張機入口弁の入口との間の循環路における作動流体の圧力を検出する圧力検出手段を有し、制御手段は、圧力検出手段にて検出された圧力に基づいて、膨張機入口弁の開弁に伴い膨張機からクラッチを介してエンジンに伝達される動力伝達量を推定し、エンジンの駆動時に該推定された動力伝達量に相当するエンジンの駆動力を予め低減することを特徴としている。
【発明の効果】
【００１６】
従って、請求項１記載の本発明の廃熱利用装置によれば、膨張機の停止時に蒸発器を経由した作動流体の高圧を保持することができるため、その後の膨張機の起動時には、膨張機入口弁を開弁することで保持された高圧が開放され、膨張機を即座に駆動させ、ひいては被動力伝達装置に回転駆動力を即座に伝達することができる。従って、膨張機の起動時における出力上昇を迅速に行うことができ、廃熱利用装置の廃熱回収効率を向上することができる。
【００１７】
また、請求項２記載の発明によれば、特に膨張機を長時間停止した後の膨張機の起動時に作動流体の高圧を確実に開放することができるため、膨張機の起動を確実に行うことができる。
更に、請求項３記載の発明によれば、膨張機の起動時に低負荷で膨張機を円滑に回転させることができるため、膨張機の起動を更に確実に行うことができる。
【００１８】
更にまた、請求項４記載の発明によれば、ランキンサイクルの出力を段階的に上昇させることができるため、ランキンサイクルの出力上昇を効率的に迅速化することができる。
また、請求項５記載の発明によれば、膨張機の起動時に高圧の作動流体によって膨張機が高速回転することを防止することができるため、ランキンサイクルの出力上昇を安全に迅速化することができる。
【００１９】
更に、請求項６記載の発明によれば、凝縮器を経由したより多くの作動流体を蒸発器側に送出することができ、蒸発器における余熱によってより多くの作動流体を蒸発させて蒸発器を経由した作動流体を更に高圧することができるため、ランキンサイクルの出力上昇を更に迅速化することができる。
更にまた、請求項７記載の発明によれば、膨張機の停止時に蒸発器を経由した作動流体の高圧を確実に保持することができるため、ランキンサイクルの出力上昇を更に確実に迅速化することができる。
【００２０】
また、請求項８記載の発明によれば、ポンプ駆動源や被動力伝達装置への動力伝達装置を設ける必要がないため、装置をコンパクト化することができる。
更に、請求項９記載の発明によれば、被動力伝達装置をモータ機能を有する、いわゆるモータジェネレータとした場合に比して、ランキンサイクルの回路構成を簡素化することができる。
【００２１】
更にまた、請求項１０記載の発明によれば、膨張機の停止後に、凝縮器を経由し気液分離器にて分離された液状の作動流体を高低差を利用して蒸発器に還流させることができるため、膨張機、ひいてはポンプの停止時に、蒸発器に作動流体を供給することができるため、膨張機の起動を確実に行うことができる。
また、請求項１１記載の発明によれば、膨張機の停止後に、凝縮器を経由し気液分離器にて分離された液状の作動流体をポンプにおける作動流体の通液抵抗を排除して蒸発器に速やかに還流させることができる。従って、高圧開放による膨張機の起動が何等かの理由で失敗した場合であっても、蒸発器に再び作動流体を供給することができるため、膨張機を確実に再起動させることができる。
【００２２】
更に、請求項１２記載の発明によれば、エンジンの制動時に蒸発器の余熱によって蒸発器に滞留する作動流体が蒸発して膨張機が回転することにより膨張機の動力がエンジンに伝達されてエンジンの制動が阻害されるのを防止することができる。従って、エンジンの制動、即ちエンジンブレーキを確実に実行することができるため、被動力伝達装置をエンジンとした場合であってもランキンサイクルを適切に制御することができる。
【００２３】
更にまた、請求項１３及び１４記載の発明によれば、エンジンの回転によって膨張機が作動流体の流通していない状態で空回りすることを防止することができるため、膨張機の過熱による焼きつきを防止することができる。
また、請求項１５及び１６記載の発明によれば、エンジンの制動後の駆動時に膨張機のエンジンに対する急激なアシスト動力の上乗せを防止し、ユーザの不快感を解消することができる。
【発明を実施するための最良の形態】
【００２４】
以下、図面により本発明の一実施形態について先ず第１実施形態から説明する。
図１は当該第１実施形態の廃熱利用装置の一例を模式的に示している。
この廃熱利用装置は、例えば車両に搭載され、車両のエンジンを冷却する冷却水回路２と、冷却水回路２を介して熱源としてのエンジンの廃熱を回収するランキンサイクル４（以下、ＲＣ回路という）とを備えている。
【００２５】
冷却水回路２は、エンジンから延設される冷却水（以下、ＬＬＣともいう）の循環路３に、冷却水の流れ方向から順に、後述する蒸発器６の他、何れも図示しないラジエータ、サーモスタット、水ポンプなどが介挿されて閉回路を構成している。
一方、ＲＣ回路４は、作動流体としての例えばフロンＲ１３４ａなどの冷媒の循環路５に、冷媒の流れ方向から順に蒸発器６、膨張機８、凝縮器１０、冷媒ポンプ（ポンプ）１２が介挿されて閉回路を構成している。
【００２６】
蒸発器６は、上記エンジンを経由して加熱された冷却水によって冷媒を加熱して蒸発させる。
膨張機８は、蒸発器６を経由して加熱された冷媒を膨張させて回転駆動力を発生する回転機器である。膨張機８には、膨張機８と同一の回転軸１４を介して一体に回転可能に構成された発電機（被動力伝達装置）１６が機械的に連結されている。
【００２７】
発電機１６は、モータ機能を有するいわゆるモータジェネレータではなく、発電機能のみを備えており、膨張機８にて発生した回転駆動力を電力に変換して廃熱利用装置の外部で利用可能とする。
また、発電機１６には、発電された電力を廃熱利用装置の外部に送電するための図示しない発電端子と、この発電端子の接続を変更して発電機１６、ひいては膨張機８の負荷を変更可能な負荷制御部（負荷変更手段）が備えられている。
【００２８】
凝縮器１０は、膨張機８を経由した冷媒を外気との熱交換により凝縮液化させる放熱器である。
冷媒ポンプ１２は、回転軸１４を介して膨張機８及び発電機１６と機械的に連結されて膨張機８及び発電機１６と一体に回転可能に構成されており、凝縮器１０にて凝縮液化された液冷媒を蒸発器６側に圧送してＲＣ回路４において好適に循環させる。
【００２９】
このように構成される冷却水回路２及びＲＣ回路４は、車両を総合的に制御する電子制御装置であるＥＣＵ（制御手段）１８によって、その起動、停止が制御される。
具体的には、ＥＣＵ１８がエンジンの運転状況に応じて膨張機８の駆動を制御することにより、エンジンの廃熱が冷却水回路２を介してＲＣ回路４側に適宜回収され、回収された廃熱は膨張機８、発電機１６を介して廃熱利用装置の外部にて利用可能な電力に変換される。
【００３０】
ここで、本実施形態のＲＣ回路４は、蒸発器６の出口と膨張機８の入口との間の循環路５ａに介挿された膨張機入口弁２０と、冷媒ポンプ１２の出口と蒸発器６の入口との間の循環路５ｂに介挿された逆止弁２２とを備えている。
膨張機入口弁２０は、その駆動部がＥＣＵ１８に電気的に接続されており、ＥＣＵ１８から膨張機入口弁２０の駆動部に入力される入力信号に応じて膨張機入口弁２０の開度を段階的に微調整可能な調整弁である。
【００３１】
逆止弁２２は、蒸発器６から冷媒ポンプ１２への冷媒の逆流を禁止している。
また、ＲＣ回路４には、蒸発器６の出口と膨張機入口弁２０の入口との間を流れる冷媒の圧力を検出する圧力センサ（圧力検出手段）２４が設けられ、圧力センサ２４もＥＣＵ１８に電気的に接続されている。
そして、ＥＣＵ１８は、膨張機８の停止時に膨張機入口弁２０を閉弁し、その後の膨張機８の再起動時に膨張機入口弁２０を開弁する膨張機入口弁制御を実行する。
【００３２】
以下、図２のフローチャートを参照して、当該膨張機入口弁制御の制御ルーチンについて説明する。尚、当該膨張機入口弁制御は膨張機８が稼動している状態を初期状態として実行される。
先ず、本制御が開始されるとＳ１に移行し、Ｓ１では、アクセル開度（エンジンブレーキ）などにより膨張機８が停止されるか否かを判定し、判定結果が真（Ｙｅｓ）で膨張機８が停止されると判定された場合にはＳ２に移行し、判定結果が偽（Ｎｏ）で膨張機８が停止されないと判定された場合には再びＳ１に戻る。
【００３３】
Ｓ２では、膨張機入口弁２０を閉弁し、冷媒の流れ方向からみて、逆止弁２２から蒸発器６を介して膨張機入口弁２０までの循環路５に冷媒の高圧が保持された高圧室２６を形成し、Ｓ３に移行する。
Ｓ３では、例えばアクセル開度などにより膨張機８が起動されるか否かを判定し、判定結果が真（Ｙｅｓ）で膨張機８が起動されると判定された場合にはＳ４に移行し、判定結果が偽（Ｎｏ）で膨張機８が起動されないと判定された場合には再びＳ３に戻る。
【００３４】
Ｓ４では、圧力センサ２４にて検出された高圧室２６の圧力Ｐが所定の設定圧力Ｐｓ以上（Ｐ≧Ｐｓ）であるか否かを判定し、判定結果が真（Ｙｅｓ）でＰ≧Ｐｓが成立すると判定された場合にはＳ５に移行し、判定結果が偽（Ｎｏ）でＰ≧Ｐｓが成立しないと判定された場合には再びＳ４に戻る。尚、設定圧力Ｐｓは、少なくとも所定の冷却水温度となった後には高圧室２６に蓄圧可能な圧力であって、高圧室２６の開放により膨張機８や冷媒ポンプ１２を初期駆動可能な高圧に設定される。
【００３５】
Ｓ５では、膨張機入口弁２０を開弁し、高圧室２６を開放した後、本制御ルーチンをリターンし、次回の膨張機８の停止まで待機する。
このように、当該膨張機入口弁制御では、膨張機８の停止時に膨張機入口弁２０を閉弁することにより高圧室２６を形成し、その後の膨張機８の再起動時に膨張機入口弁２０を開弁して高圧室２６を開放することにより高圧室２６に保持されたＲＣ回路４の高圧側の圧力によって膨張機８を起動する。
【００３６】
一方、ＥＣＵ１８は、上述した膨張機入口弁制御と併せて、発電機１６、ひいては膨張機８の負荷変更制御を実行する。
具体的には、ＥＣＵ１８には、上述した発電機１６の負荷制御部が電気的に接続されており、この負荷制御部を介して発電端子の接続状態を変更することにより発電機１６、ひいては膨張機８の負荷を変更する。
【００３７】
以下、図３のフローチャートを参照して、当該負荷変更制御の制御ルーチンについて説明する。尚、当該負荷変更制御は膨張機８が停止している状態を初期状態として実行される。
先ず、本制御が開始されるとＳ１１に移行し、Ｓ１１では、膨張機８が起動されるとＥＣＵ１８が判断したか否かを判定し、判定結果が真（Ｙｅｓ）で膨張機８が起動されると判定された場合にはＳ１２に移行し、判定結果が偽（Ｎｏ）で膨張機８が起動されないと判定された場合には再びＳ１１に戻る。
【００３８】
Ｓ１２では、発電機１６の発電端子の接続を開放状態にし、Ｓ１３に移行する。
Ｓ１３では、所定の設定時間Ｔｓが経過したか否かを判定し、判定結果が真（Ｙｅｓ）で設定時間Ｔｓが経過したと判定された場合にはＳ１４に移行し、判定結果が偽（Ｎｏ）で設定時間Ｔｓが経過していないと判定された場合には再びＳ１３に戻る。
Ｓ１４では、開放した発電端子を段階的に接続し、最終的に発電端子開放前の通常の接続に戻した後に本制御ルーチンをリターンし、次回の膨張機８の停止、再起動まで待機する。
【００３９】
このように、当該負荷変更制御は、少なくとも上述した膨張機入口弁制御のＳ５において膨張機入口弁２０を開弁するときに発電端子を開放状態にし、発電機１６、ひいては膨張機８の負荷を限りなく無負荷に近い所定の最小値に変更する。その後に設定時間Ｔｓの経過後、膨張機８の起動後の状態に合わせて開放した発電端子を段階的に接続することにより、膨張機８の負荷は徐々に大きくなり、最終的に発電端子開放前の通常の負荷に戻される。尚、上記Ｓ１３では、設定時間Ｔｓの経過後にＳ１４に移行するようにしているが、膨張機８の回転数が所定回転数まで増大するのを判定してからＳ１４に移行するようにしても良い。
【００４０】
以上のように、本実施形態では、上述した膨張機入口弁制御を行うことにより、膨張機８の停止時に高圧室２６を形成して高圧を保持することができるため、その後の膨張機８の起動時には、膨張機入口弁２０を開弁することで高圧室２６の高圧が開放され、膨張機８を即座に駆動させ、ひいては発電機１６に回転駆動力を即座に伝達することができる。従って、膨張機８の起動時における出力上昇を迅速に行うことができ、廃熱利用装置の廃熱回収効率を向上することができる。
【００４１】
また、膨張機入口弁制御のＳ４において、高圧室２６の圧力Ｐが設定圧力Ｐｓ以上になるとき膨張機入口弁２０を開弁することにより、膨張機８の起動時に高圧室２６の高圧を確実に開放することができるため、膨張機８の起動を確実に迅速化することができる。
更に、負荷変更制御のＳ１２において、膨張機８の負荷を所定の最小値に変更することにより、膨張機８の起動時に低負荷で膨張機８を円滑に回転させることができるため、膨張機８の起動を更に確実に行うことができる。
【００４２】
更にまた、負荷変更制御のＳ１３において、膨張機の負荷を段階的に大きくすることにより、膨張機８の起動後にＲＣ回路４の出力を段階的に上昇させることができるため、ＲＣ回路４の出力上昇を効率的に迅速化することができる。
また、膨張機入口弁２０は、その開度を段階的に微調整可能な調整弁であることから、膨張機入口弁制御のＳ５において、膨張機入口弁２０を段階的に開弁するようにしても良い。この場合には、膨張機８の起動時に高圧室２６が開放されることにより、高圧の冷媒によって膨張機８が高速回転することを防止することができるため、ＲＣ回路４の出力上昇を安全に迅速化することができる。
【００４３】
更に、膨張機８と発電機１６と冷媒ポンプ１２とは同一の回転軸１４を介して連結されて一体に回転可能に構成されるため、ポンプ駆動モータや膨張機８の回転を発電機１６に伝えるベルトやギヤなどを設ける必要がなく、装置のコンパクト化が可能となる。
更にまた、発電機１６はモータ機能を有しないため、発電機をモータ機能を有する、いわゆるモータジェネレータとした場合に比して、ＲＣ回路４の回路構成を簡素化することができて好適である。
【００４４】
ここで、本実施形態の変形例として、冷媒ポンプ１２を膨張機８及び発電機１６と回転軸１４にて連結しない電動ポンプとし、この電動ポンプの駆動部をＥＣＵ１８に電気的に接続してＥＣＵ１８にて駆動制御するようにしても良い。この場合にも上記と同様にＲＣ回路４の出力上昇を確実に且つ効率的に且つ安全に迅速化することができる。
特にこの変形例では、膨張機入口弁制御において、膨張機入口弁２０を閉弁してから所定の設定時間Ｔｓ１の経過後に冷媒ポンプ１２の駆動を停止することにより、凝縮器１０を経由したより多くの冷媒を蒸発器６側に送出することができ、蒸発器６における余熱によってより多くの冷媒を蒸発させて高圧室２６に蓄圧することができる。これにより、高圧室２６を更に高圧にすることができるため、ＲＣ回路４の出力上昇を更に迅速化することができる。尚、設定時間Ｔｓ１は、冷媒ポンプ１２によってＲＣ回路４の凝縮器１０側、即ち低圧側の冷媒を高圧室２６に十分に送出可能な時間に設定される。
【００４５】
また、膨張機入口弁２０を閉弁してから圧力センサ２４にて検出された圧力Ｐが所定の設定圧力Ｐｓ以上になった後に冷媒ポンプ１２の駆動を停止することにより、ＲＣ回路４の停止時に高圧室２６の高圧を確実に保持することができるため、ＲＣ回路４の出力上昇を更に確実に迅速化することができて好ましい。
次に、本発明の第２実施形態について説明する。
【００４６】
図４は、当該第２実施形態の廃熱利用装置のＲＣ回路４をその構成機器の高低差配置がわかるように概略的に示している。
当該第２実施形態のＲＣ回路４は、凝縮器１０を経由した冷媒を気液分離して冷媒ポンプ１２に液冷媒を送出する気液分離器２８と、冷媒ポンプ１２をバイパスするポンプバイパス路３０と、ポンプバイパス路３０に介挿されたポンプバイパス弁３２と、膨張機８をバイパスする膨張機バイパス路３４と、膨張機バイパス路３４に介挿された膨張機バイパス弁３６とを更に備え、各バイパス弁３２，３６の各駆動部はＥＣＵ１８に電気的に接続されており、その他は上記第１実施形態と同様の構成をなしている。
【００４７】
図４から明らかなように、気液分離器２８は蒸発器６よりも高低差Ｈを有して上方に設けられ、更に、ＥＣＵ１８は、高圧室２６の開放による膨張機８の起動が何等かの理由で失敗した場合であっても膨張機８を再起動可能なＲＣ再起動制御を実行する。
以下、図５のフローチャートを参照して、当該膨張機再起動制御の制御ルーチンについて説明する。尚、当該膨張機再起動制御は膨張機８が停止している状態を初期状態として実行される。
【００４８】
先ず、本制御が開始されるとＳ２１に移行し、Ｓ２１では、高圧室２６の開放によって、例えば膨張機８の回転数などにより膨張機８が正常に起動されたか否かを判定し、判定結果が真（Ｙｅｓ）で膨張機８が正常に起動されたと判定された場合には再びＳ２１に戻り、判定結果が偽（Ｎｏ）で膨張機８が正常に起動されなかった、即ち膨張機８の起動が失敗したと判定された場合にはＳ２２に移行する（起動判定手段）。
【００４９】
Ｓ２２では、ポンプバイパス弁３２及び膨張機バイパス弁３６を開弁し、Ｓ２３に移行する。
Ｓ２３では、ポンプバイパス弁３２及び膨張機バイパス弁３６が開弁してから所定の設定時間Ｔｓ2が経過したか否かを判定し、判定結果が真（Ｙｅｓ）で設定時間Ｔｓ2が経過したと判定された場合にはＳ２４に移行し、判定結果が偽（Ｎｏ）で設定時間Ｔｓ2が経過していないと判定された場合には再びＳ２３に戻る。尚、設定時間Ｔｓ2はポンプバイパス路３０を介して蒸発器６に冷媒を十分に流入させることが可能な時間に設定される。
【００５０】
Ｓ２４では、ポンプバイパス弁３２及び膨張機バイパス弁３６と膨張機入口弁２０とを閉弁し、Ｓ２５に移行する。
Ｓ２５では、圧力センサ２４にて検出された高圧室２６の圧力Ｐが所定の設定圧力Ｐｓ以上（Ｐ≧Ｐｓ）であるか否かを判定し、判定結果が真（Ｙｅｓ）でＰ≧Ｐｓが成立すると判定された場合にはＳ２６に移行し、判定結果が偽（Ｎｏ）でＰ≧Ｐｓが成立しないと判定された場合には再びＳ２５に戻る。尚、設定圧力Ｐｓは、十分な時間が経過した後には高圧室２６に蓄圧可能な圧力であって、高圧室２６の開放により膨張機８や冷媒ポンプ１２を初期駆動可能な高圧に設定される。
【００５１】
Ｓ２６では、膨張機入口弁２０を開弁し、本制御ルーチンをリターンし、次回の膨張機８の停止、再起動まで待機する。
このように、当該膨張機再起動制御は、高圧室２６の開放による膨張機８の起動が何等かの理由で失敗した場合であっても、凝縮器１０を経由し気液分離器２８にて分離された液冷媒を高低差Ｈを利用して蒸発器６に還流させて再び高圧室２６を形成し、高圧室２６を再度開放することにより膨張機８を再起動する。
【００５２】
以上のように、本実施形態では、上記第１実施形態と同様に、ＲＣ回路４の出力上昇を確実に且つ効率的に且つ安全に迅速化することができる。
特に当該第２実施形態では、気液分離器２８を蒸発器６よりも上方に設けることにより、膨張機８の停止後に、凝縮器１０を経由し気液分離器２８にて分離された液冷媒を高低差Ｈを利用して蒸発器６に還流させ、蒸発器６における余熱によってより多くの作動流体を蒸発させることにより高圧室２６を更に高圧することができるため、ＲＣ回路４の出力上昇を更に迅速化することができる。
【００５３】
しかも、膨張機再起動制御を行うことにより、膨張機８の停止後に、凝縮器１０を経由し気液分離器２８にて分離された液冷媒を冷媒ポンプ１２における冷媒の通液抵抗を排除して蒸発器６に速やかに還流させることができる。従って、高圧室２６の高圧開放による膨張機８の起動が何等かの理由で失敗した場合であっても、膨張機８を確実に再起動することができるため、ＲＣ回路４の出力上昇を更に確実に迅速化することができる。
【００５４】
次に、本発明の第３実施形態について説明する。
図６は、当該第３実施形態の廃熱利用装置を模式的に示している。
当該第３実施形態のＲＣ回路４は、クラッチ３８とプーリ４０とを介して、膨張機８の回転駆動力が伝達される被動力伝達装置として発電機１６の代わりに車両等のエンジン（被動力伝達装置）４２を設け、更に、ＥＣＵ１８には、クラッチ３８の駆動部と、エンジン４２の回転数やスロットル開度などを検出するエンジン状態検出部と、凝縮器１０のファン１１とが電気的に接続され、その他は上記第１実施形態の変形例と同様の構成をなしている。
【００５５】
そして、ＥＣＵ１８は、エンジン４２の制動時に膨張機入口弁２０を閉弁し、その後のエンジン４２の駆動時に膨張機入口弁２０を開弁する制動制御を実行する。
以下、図７のフローチャートを参照して、当該制動制御の制御ルーチンについて説明する。尚、当該制動制御は膨張機８が起動している状態を初期状態として実行される。
先ず、本制御が開始されるとＳ３１に移行し、Ｓ３１では、エンジン状態検出部により検出されたエンジン４２の回転数やスロットル開度などにより、エンジン４２の制動、即ちエンジンブレーキが実行されたか否かを判定し、判定結果が真（Ｙｅｓ）でエンジンブレーキが実行されたと判定された場合にはＳ３２に移行し、判定結果が偽（Ｎｏ）でエンジンブレーキが実行されていないと判定された場合には再びＳ３１に戻る。
【００５６】
Ｓ３２では、膨張機入口弁２０を閉弁し、Ｓ３３に移行する。
Ｓ３３では、クラッチ３８を切って膨張機８からエンジン４２への動力伝達を遮断した後、Ｓ３４に移行する。
Ｓ３４では、エンジン状態検出部により検出されたエンジン４２の回転数やスロットル開度などにより、エンジン４２がエンジンブレーキから加速に転じて駆動されたか否かを判定し、判定結果が真（Ｙｅｓ）でエンジン４２が加速駆動されたと判定された場合にはＳ３５に移行し、判定結果が偽（Ｎｏ）でエンジン４２が加速駆動されていないと判定された場合には再びＳ３４に戻る。
【００５７】
Ｓ３５では、膨張機入口弁２０を段階的に開弁した後、本制御ルーチンをリターンし、次回のエンジン４２のエンジンブレーキ実行まで待機する。
以上のように、本実施形態では、上記第１実施形態の変形例と同様に、ＲＣ回路４の出力上昇を確実に且つ効率的に且つ安全に迅速化することができる。
特に当該第３実施形態では、上記制動制御を行うことにより、被動力伝達装置をエンジン４２とした場合であってもＲＣ回路４を適切に制御することができる。
【００５８】
具体的には、エンジンブレーキ時に膨張機８を停止するべく冷媒ポンプ１２の駆動を停止したとしても、蒸発器６にはその容量分の高温冷媒が滞留しており、蒸発器６本体やＬＬＣの余熱によって蒸発器６に滞留する冷媒が蒸発するため、蒸発器６を経由した冷媒の圧力は急激には低下しない。これにより、エンジンブレーキ時においても膨張機８は回転し続けてエンジン４２を反制動方向である駆動方向にアシストするため、エンジンブレーキが利きにくくなる。
【００５９】
そこで、クラッチ３８を切ることにより膨張機８からエンジン４２への動力伝達を遮断するということも考えられるが、単にクラッチ３８を切ると膨張機８が無負荷状態となり、膨張機８が高速で回転して過熱による焼きつきを生じかねない。
そこで、当該制動制御のＳ３２にて膨張機入口弁２０を閉弁することにより、エンジンブレーキ時に膨張機８がエンジン４２を駆動方向にアシストすることを防止し、エンジンブレーキを確実に実行することができる。
【００６０】
また、膨張機入口弁２０を単に閉弁すると、膨張機８には冷媒が流通していないため、エンジン４２の回転によって膨張機８が空回りして過熱して焼きつきを生じる。
そこで、当該制動制御のＳ３３にて膨張機入口弁２０の閉弁後にクラッチ３８を切ることにより、膨張機８の過熱による焼きつきを防止することができる。
ここで、クラッチ３８を切る以外の他の方法としては、膨張機８の回転がエンジン４２の回転数以上のときにのみ膨張機８の動力をエンジン４２に伝達するワンウェイクラッチをクラッチ３８として使用しても良い。
【００６１】
更に、エンジン４２がエンジンブレーキから加速に転じて駆動されるとき、膨張機入口弁２０を開弁すると高圧室２６に高圧冷媒が蓄えられているため、エンジン４２に対する急激なアシスト動力が発生し、車両のユーザが車両の挙動に違和感、ひいては不快を感じる。
そこで、当該制動制御のＳ３５にて、エンジン４２が加速駆動されるときには膨張機入口弁２０を徐々に開弁することにより、膨張機８のエンジン４２に対する急激なアシスト動力の上乗せを防止し、ユーザの不快感を解消することができる。
【００６２】
更にまた、圧力センサ２４にて検出された高圧室２６の圧力Ｐに基づいて、膨張機入口弁２０の開弁に伴い膨張機８からクラッチ３８を介してエンジン４２に伝達される動力伝達量を推定し、エンジン４２のエンジンブレーキ後の駆動時に推定された動力伝達量に相当するエンジン４２の駆動力を予め低減する制御をＥＣＵ１８にて行っても良い。
具体的には、車両がガソリン車の場合には図示しないエンジンスロットルを絞り、または、車両がディーゼル車の場合には燃料噴射量を低減することにより、エンジン４２の駆動力を低減することができる。そして、このような制御を行うことによって、ユーザの不快感を解消することができる。
【００６３】
また、膨張機入口弁２０を閉弁してから、所定の設定時間Ｔｓの経過後に冷媒ポンプ１２の駆動を停止することにより、高圧室２６を更に高圧することができて好ましい。
更に、膨張機入口弁２０を閉弁してから圧力センサ２４にて検出された圧力Ｐが所定の設定圧力Ｐｓ以上になった後に冷媒ポンプ１２の駆動を停止することにより、高圧室２６の高圧を確実に保持することができて好ましい。
【００６４】
更にまた、凝縮器１０のファン１１の駆動を膨張機８の停止後に停止するか、或いは冷媒ポンプ１２の停止と同期させて停止しても良く、この場合には、無駄なファン動力を削減することができて好適である。
以上で本発明の一実施形態についての説明を終えるが、本発明は上記各実施形態及び変形例に限定されるものではなく、本発明の趣旨を逸脱しない範囲で種々の変更ができるものである。
【００６５】
例えば、本発明の廃熱利用装置をハイブリッドカーやプラグインハイブリッドカーに適用し、回生ブレーキ時やモータのみでの走行時などにエンジンを停止する場合に膨張機入口弁２０を閉弁するようにしても良い。
【図面の簡単な説明】
【００６６】
【図１】本発明の第１実施形態に係る廃熱利用装置を示した模式図である。
【図２】図１のＥＣＵにて実行される膨張機入口弁制御の制御ルーチンを示したフローチャートである。
【図３】図１のＥＣＵにて実行される膨張機の負荷変更制御の制御ルーチンを示したフローチャートである。
【図４】本発明の第２実施形態に係る廃熱利用装置をランキンサイクルの各構成機器の高低差配置がわかるように示した模式図である。
【図５】図４のＥＣＵにて実行される膨張機再起動制御の制御ルーチンを示したフローチャートである。
【図６】本発明の第３実施形態に係る廃熱利用装置を示した模式図である。
【図７】図６のＥＣＵにて実行されるエンジンの制動制御の制御ルーチンを示したフローチャートである。
【符号の説明】
【００６７】
４  ランキンサイクル
５  循環路
６  蒸発器
８  膨張機
１０  凝縮器
１２  冷媒ポンプ（ポンプ）
１６  発電機（被動力伝達装置）
１８  ＥＣＵ（制御手段）
２０  膨張機入口弁
２２  逆止弁
２４  圧力センサ（圧力検出手段）
２８  気液分離器
３０  ポンプバイパス路
３２  ポンプバイパス弁
３４  膨張機バイパス路
３６  膨張機バイパス弁
３８  クラッチ
４２  エンジン（被動力伝達装置）
【図１】
2010065587.tif 000003
【図２】
2010065587.tif 000004
【図３】
2010065587.tif 000005
【図４】
2010065587.tif 000006
【図５】
2010065587.tif 000007
【図６】
2010065587.tif 000008
【図７】
2010065587.tif 000009
【手続補正書】
【提出日】平成20年10月30日(2008.10.30)
【手続補正１】
【補正対象書類名】図面
【補正対象項目名】図５
【補正方法】変更
【補正の内容】
【図５】
2010065587.tif 000010